(57)【要約】      （修正有）【課題】食器、調理器具用の水切りトレイのスノコ板を回動可能とし、逆Ｖ字状に折り曲げ、ふきん干しとしても使用可能な水切りトレイを提供する。【解決手段】上面以外の周囲又は上面以外の周囲の一部を除き縁に囲まれスノコ板部Ｂ１、Ｂ２を水平に載せる為の台部と、スノコ差込の為のトレイスリット部Ｈを設けた水受けＡと、１つ以上の回動軸Ｃによって折り曲げ可能かつ、単一又は複数の通気孔と四隅に固定の為のスノコ差込部Ｆを持つ板状のスノコ部品によって構成され、水受けＡの上部でスノコを水平に広げた状態と、スノコを折り曲げてスノコ下方に向けて広がるよう逆Ｖ字にスノコを起こした状態でスノコ差込部Ｆをトレイスリット部Ｈに差込み固定が可能とする。【選択図】図５
0003216013.tif 000002
【実用新案登録請求の範囲】
【請求項１】
上面以外の周囲又は上面以外の周囲の一部を除き縁に囲まれた水受けと、１つ以上の回動軸によって折り曲げ可能かつ、単一又は複数の通気孔を持つ板状のスノコ部品によって構成され、水受けの上部でスノコを水平に広げた状態と、水受けの上部でスノコを折り曲げてスノコ下方に向けて広がるよう逆Ｖ字にスノコを起こした状態で固定が可能な事を特徴とする食器用水切りトレイ。
【考案の詳細な説明】
【技術分野】
【０００１】本考案は、スノコ上にふきんを干す機能を持つ食器用の水切りトレイに関する。
【背景技術】
【０００２】家庭用のキッチンにおいて食器、調理器具を洗浄しトレイやカゴに入れて、水を切りその後ふきんで残った水を拭き取り、水を拭き取った食器、調理器具は食器棚などに収納される為、食器、調理器具を収納後の従来のトレイはトレイ上がデッドスペースになっている。【０００３】また水を拭き取ったふきんは別途ハンガー状のふきん掛けに掛けて干す事が一般的で、一般的なハンガー状のふきん掛けは、キッチン周辺にネジや接着剤などで固定し利用される。固定方法によっては住宅への加工を伴う場合や取り付け前の状態に戻せない場合があり、賃貸住宅などでは取付けが困難な場合がある。【０００４】またふきんの乾燥時間はふきんが空気に触れる面積が多いほど短縮される傾向にあり、実用新案登録第３０００１７２号などに示される、一般的なハンガー状のふきん掛けは、ハンガーを中心にしてその両側をふきんが挟む形で利用する為、ふきん自身が内側で接触し内側への空気の接触は限定されてしまう。
【先行技術文献】
【実用新案文献】
【０００５】
【実用新案文献１】
実用新案登録第３０００１７２号公報
【考案の概要】
【考案が解決しようとする課題】
【０００６】未使用時の食器、調理器具用の水切りトレイ上の空間を活用し、別途ふきん掛けを使用する事なく、ふきんをより多くの空気に触れさせ乾燥させる事を可能とする水切りトレイの提供。
【課題を解決するための手段】
【０００７】本考案は凹字状の水切りトレイと回動軸と通気の為の通気孔を持つスノコ板で構成され、スノコ板を開いた状態とスノコ板を回動軸中心に折り曲げ、逆Ｖ字状態に固定する機構を持つ事を特徴とする。
【考案の効果】
【０００８】本考案のトレイはスノコ板を水平に開いた状態では、一般的な水切りトレイとして利用できる。またスノコ板を逆Ｖ字状にして固定する事で、スノコ板の上にふきんを干す事ができる。この為、別途ふきん掛けを用意する事なく、通常デッドスペースとなるトレイ上部の空間を有効利用できる利点がある。【０００９】またふきんは、スノコ板を挟んで折り曲げられる為、ふきん自身が内側で接触する事が無く、スノコ板の通気孔を通して内側がより多く空気に触れ乾燥させられるという利点がある。
【図面の簡単な説明】
【００１０】
【図１】スノコ板を開いた場合の平面図である。
【図２】スノコ板を開いた場合の斜視図である。
【図３】スノコ板を逆Ｖ字状に固定した場合の平面図である。
【図４】スノコ板を逆Ｖ字状に固定した場合の斜視図である。
【図５】分解図である。
【図６】ふきんを干した状態の斜視図である。
【考案を実施するための形態】
【００１１】本考案の実施の形態を図面に基づいて説明する。図面は本考案の実施形態の一例に関するものである。なお各図面において同じ符号を付した部材、形状は同一又は類似の構成のものであり、これらについての重複説明は適宜省略する。
【実施例】
【００１２】図１に示す通り、本考案の水切りトレイはトレイ部Ａとスノコ板部Ｂから構成されており、スノコ板部Ｂはほぼ同一の形状のスノコ板部左部Ｂ１、スノコ板部右部Ｂ２がスノコ回動軸部Ｃを中心に回動するよう組み付けられている。【００１３】図３に示す通りスノコ板部左部Ｂ１、スノコ板部右部Ｂ２にはスノコ板部Ｂの通気と排水の為のスノコ通気孔部Ｄが多数配置されている。スノコ通気孔部Ｄは通気と排水を促し、またふきんの滑り止めとして機能するスノコ凸部Ｅも設けられている。【００１４】図５に示す通りスノコ板部左部Ｂ１、スノコ板部右部Ｂ２のスノコ回動軸部Ｃ以外の対向する位置にはトレイ上でスノコを逆Ｖ字状に固定する為の、スノコ差込部Ｆが配置されている。【００１５】図５に示す通りトレイ部Ａには内側にスノコ板部Ｂをトレイ上部に浮かせて乗せておく機能を有する階段状のトレイ段差Ｇを有する。またトレイ部Ａにはスノコ板部Ｂのスノコ差込部Ｆを差し込み逆Ｖ字状に固定する為のトレイスリット部Ｈや、スノコ回動軸部Ｃの干渉を防ぐ為のトレイヒンジ逃げ部Ｉを形成する。【００１６】図５に示す通りトレイ部Ａには排水口Ｊとそれに向かって下降する傾斜Ｋを持つ。これは洗浄後の食器や調理器具からトレイに出る水をキッチンの排水口に流し自動排水する為の機能である。【００１７】なお実施例では食器用トレイの一例として、排水口を持つ水切りトレイについて説明したが、トレイ部の排水口の有無やトレイ部の形状について限定される物ではない。【００１８】またスノコ板部を逆Ｖ字に固定する方法として、トレイ部にスリットを設ける方法について説明したが、固定方法は上記の方法に限定される物ではない。例えば回動軸付近にスナップフィットによるストッパーを内蔵した場合や、スノコ板部の差し込み部の代りに軟質素材のすべり止め配置した場合も、滑り止めの効果によって同等の機能を期待できる。【００１９】以上、本考案に係るふきん干し機能付きトレイの実施例について説明したが、本考案は上記実施例に限定されるものではなく適宜変形実施可能である。
【符号の説明】
【００２０】Ａ    トレイ部
Ｂ    スノコ板部
Ｂ１  スノコ板部左部
Ｂ２  スノコ板部右部
Ｃ    スノコ回動軸部
Ｄ    スノコ通気孔部
Ｅ    スノコ凸部
Ｆ    スノコ差込部
Ｇ    トレイ段差
Ｈ    トレイスリット部
Ｉ    トレイヒンジ逃げ部
Ｊ    トレイ排水口
Ｋ    トレイ傾斜部
Ｌ    ふきん
【図１】
0003216013.tif 000003
【図２】
0003216013.tif 000004
【図３】
0003216013.tif 000005
【図４】
0003216013.tif 000006
【図５】
0003216013.tif 000007
【図６】
0003216013.tif 000008
【手続補正書】
【提出日】平成30年2月9日(2018.2.9)
【手続補正１】
【補正対象書類名】実用新案登録請求の範囲
【補正対象項目名】全文
【補正方法】変更
【補正の内容】
【実用新案登録請求の範囲】
【請求項１】
上面以外の周囲又は上面以外の周囲の一部を除き縁に囲まれスノコ板部を水平に載せる為の台部と、スノコ差込の為のトレイスリット部を設けた水受けと、１つ以上の回動軸によって折り曲げ可能かつ、単一又は複数の通気孔と四隅に固定の為のスノコ差込部を持つ板状のスノコ部品によって構成され、水受けの上部でスノコを水平に広げた状態と、水受けの上部でスノコを折り曲げてスノコ下方に向けて広がるよう逆Ｖ字にスノコを起こした状態でスノコ差込部をトレイスリット部に差込み固定が可能な事を特徴とする食器用水切りトレイ。